(57)【要約】【課題】パネル部が外側に膨らんだ状態に維持されることを抑制可能なプラスチックボトルを提供する。【解決手段】胴部２に内側に凹む下部パネル１５が設けられたプラスチックボトル１であって、下部パネル１５は、段差が生じることなく下部パネル１５の周囲の部分１１ａとパネル部内の部分１５ａとが連続した平面で接続されるように設けられている。【選択図】図２
2015105113.tif 000002
【特許請求の範囲】
【請求項１】
胴部に内側に凹むパネル部が設けられたプラスチックボトルであって、
前記パネル部は、段差が生じることなく前記パネル部の周囲の部分と前記パネル部内の部分とが連続した平面で接続されるように設けられていることを特徴とするプラスチックボトル。
【請求項２】
前記パネル部の前記ボトルの底部側の部分は、前記底部に近くなるほど前記ボトルの中心線と直交する方向の幅が狭くなるように形成されている請求項１に記載のプラスチックボトル。
【請求項３】
前記胴部は、前記ボトルの口部側の上部領域と前記ボトルの底部側の下部領域とに分けられ、
前記パネル部は、前記下部領域に設けられ、
前記上部領域に、内側に凹む上部パネル部が設けられ、
前記上部パネル部は、前記上部パネル部の周囲の部分と前記上部パネル部内の部分との間に段差が生じるように設けられている請求項１又は２に記載のプラスチックボトル。
【発明の詳細な説明】
【技術分野】
【０００１】
本発明は、胴部に内部に凹むパネル部が設けられているプラスチックボトルに関する。
【背景技術】
【０００２】
飲料等の液体が充填される容器として、ポリエチレンテレフタレート（ＰＥＴ）等のプラスチック製のボトルが知られている。また、このようなプラスチックボトルとして、胴部の下部領域に内側に凹むパネル部が設けられ、そのパネル部の周囲に屈曲成形にて段部が設けられたボトルが知られている（特許文献１参照）。その他、本発明に関連する先行技術文献として特許文献２が存在する。
【先行技術文献】
【特許文献】
【０００３】
【特許文献１】特公平７−１０２８５６号公報
【特許文献２】特開２０１１−２１３３９４号公報
【発明の概要】
【発明が解決しようとする課題】
【０００４】
飲料が充填されたプラスチックボトルが落とされると胴部に内側から圧力が掛かる。特に底部から落下した場合には胴部の下部領域に内側から大きな圧力が掛かり、パネル部が外側に膨らむおそれがある。特許文献１のボトルでは、パネル部の周囲に屈曲成形にて段部が設けられているため、外側に膨らんだパネル部が元の状態に戻り難い。そのため、外観上の見栄えが悪くなる。
【０００５】
そこで、本発明は、パネル部が外側に膨らんだ状態に維持されることを抑制可能なプラスチックボトルを提供することを目的とする。
【課題を解決するための手段】
【０００６】
本発明のプラスチックボトルは、胴部（２）に内側に凹むパネル部（１５）が設けられたプラスチックボトル（１）であって、前記パネル部は、段差が生じることなく前記パネル部の周囲の部分（１１ａ）と前記パネル部内の部分（１５ａ）とが連続した平面で接続されるように設けられていることにより、上述した課題を解決する。
【０００７】
本発明のプラスチックボトルによれば、パネル部の周囲の部分とパネル部内の部分との間に段差がないため、パネル部が外側に膨らんでも元の凹んだ状態に戻り易い。そのため、パネル部が外側に膨らんだ状態に維持されることを抑制できる。
【０００８】
本発明のプラスチックボトルの一形態において、前記パネル部の前記ボトルの底部（３）側の部分は、前記底部に近くなるほど前記ボトルの中心線（ＣＬ）と直交する方向の幅が狭くなるように形成されていてもよい。パネル部をこのような形状にすることにより、底部側から受けた力を分散させることができる。そのため、ボトルの変形を抑制できる。
【０００９】
本発明のプラスチックボトルの一形態において、前記胴部は、前記ボトルの口部（４）側の上部領域（２ａ）と前記ボトルの底部（３）側の下部領域（２ｂ）とに分けられ、前記パネル部は、前記下部領域に設けられ、前記上部領域に、内側に凹む上部パネル部（１４）が設けられ、前記上部パネル部は、前記上部パネル部の周囲の部分と前記上部パネル部内の部分との間に段差が生じるように設けられていてもよい。このように上部パネル部を設けることにより、この上部パネル部でボトルの容量を調整することができる。また、上部パネル部は段差が生じるように設けられるので、ボトルの強度を高くすることができる。
【００１０】
なお、以上の説明では本発明の理解を容易にするために添付図面の参照符号を括弧書きにて付記したが、それにより本発明が図示の形態に限定されるものではない。
【発明の効果】
【００１１】
以上に説明したように、本発明のプラスチックボトルによれば、パネル部の周囲の部分とパネル部内の部分との間に段差がないので、パネル部が外側に膨らんだ状態に維持されることを抑制できる。
【図面の簡単な説明】
【００１２】
【図１】本発明の一形態に係るプラスチックボトルの斜視図。
【図２】プラスチックボトルの正面図。
【図３】プラスチックボトルの上面図。
【図４】プラスチックボトルの下面図。
【図５】図２のV−V線におけるプラスチックボトルの断面を示す図。
【図６】図２のVI−VI線における胴部の断面を示す図。
【図７】プラスチックボトルに圧縮荷重を掛けたときのボトルの応力と変位量との関係の一例を示す図。
【図８】比較例のプラスチックボトルの正面図。
【発明を実施するための形態】
【００１３】
図１〜図６を参照して本発明の一形態に係るプラスチックボトルを説明する。図１は、ボトル１の斜視図を示し、図２は、ボトル１の正面図を示している。図３は、ボトル１の上面図を示し、図４は、ボトル１の下面図を示している。このボトル１は、ポリエチレンテレフタレート（ＰＥＴ）製のボトル、いわゆるペットボトルである。このボトル１には、例えば紅茶やジュースといった飲料が充填される。
【００１４】
ボトル１は、胴部２を備えている。胴部２の下端は底部３にて塞がれている。胴部２の上部には口部４が設けられている。口部４には不図示のキャップが取り付けられ、これによりボトル１が密閉される。口部４と胴部２とは口部４から外側に拡がる肩部５にて接続されている。
【００１５】
胴部２は、４つの壁部１１と、互いに隣接する壁部１１同士を接続するコーナー部１２とで形成されている。これにより、図３及び図４に示すように胴部２は、各コーナーがカットされた略四角柱状に形成されている。胴部２には、胴部２を口部４側の上部領域２ａと底部３側の下部領域２ｂとに分割する横リブ１３が設けられている。この横リブ１３は、壁部１１及びコーナー部１２をそれぞれ内側に凹ませることにより設けられている。横リブ１３は、ボトル１に一周に亘って設けられている。
【００１６】
図２に示すように壁部１１には、上部パネル１４及び下部パネル１５が設けられている。上部パネル１４は上部領域２ａに設けられ、下部パネル１５は下部領域２ｂに設けられている。そのため、上部パネル１４が本発明の上部パネル部に相当し、下部パネル１５が本発明のパネル部に相当する。これらのパネル１４、１５は、ボトル１の内部が減圧になった場合にその減圧を吸収するために設けられた、いわゆる減圧吸収パネルである。図１及び図２に示すように、上部パネル１４は、壁部１１が上部パネル１４の周縁１４ａの部分で内側に折れ曲がり、その後屈曲部１４ｂにて再度折れ曲がって平坦になるように形成されている。そのため、上部パネル１４では、その周囲の部分と上部パネル１４の内側の部分との間に段差が生じる。上部パネル１４の中央部分には、中心線ＣＬと直交する方向に伸びる横リブ１６が設けられている。この横リブ１６は、壁部１１を外側に突出させることによって形成されている。上部パネル１４の両側には、中心線ＣＬの方向に伸びる縦リブ１７が設けられている。この縦リブ１７は、壁部１１を内側に凹ませることにより形成されている。
【００１７】
下部パネル１５は、壁部１１を内側に凹ませることにより設けられている。図５は、図２のV−V線におけるボトル１の断面を示している。図６は、図２のVI-VI線におけるボトル１の断面を示している。これらの図に示すように下部パネル１５は、段差が生じることなくその周囲の部分１１ａと下部パネル１５の内側の部分１５ａとが連続した平面で接続されるように設けられている。言い換えると、下部パネル１５は、断面が連続した曲線で形成されるように設けられている。
【００１８】
図２に示すように下部パネル１５の底部３側の部分は、底部３に近くなるほどボトル１の中心線ＣＬと直交する方向の幅が漸次狭くなるように形成されている。そして、これにより下部パネル１５は、五角形状に形成されている。図６に示すように下部パネル１５は、その中央部分１５ｂが最も凹むように形成されている。この深さｄ（図５参照）には、例えば１．５ｍｍが設定される。なお、下部パネル１５のうち、中心線ＣＬと直交する方向の幅が同じ部分（以下、四角部分と称する。）１５ｃのみを見ると、最も凹んでいる中央部分１５ｂは四角部分１５ｃの中央部分よりも底部３側に位置している。
【００１９】
図２に示すように、底部３はボトル１の内側に略半球状に凹むように形成されている。図４に示すように底部３には、その中央部分３ａから各壁部１１及び各コーナー部１２に向かって延びる８本のリブ３ｂが設けられている。
【００２０】
図７は、ボトル１に中心線ＣＬの方向から圧縮荷重を掛けたときのボトル１の応力と変位量（たわみ量）との関係の一例を示している。なお、実線Ｌ１が本発明のボトル１の応力と変位量との関係を示している。この図には比較例として図８に示したボトル１００の応力と変位量との関係を実線Ｌ２で示した。図８に示すように比較例のボトル１００では、本発明に対して下部パネル１０１の形状が異なっている。それ以外の部分は本発明のボトル１と同じである。そのため、図８において本発明のボトル１と共通の部分には同一の符号を付して説明を省略する。ボトル１００の下部パネル１０１は、上部パネル１４と同様に壁部１１を内側に折り曲げることにより形成されている。そのため、この下部パネル１０１は段差が生じるように設けられている。
【００２１】
図７に示すように、本発明のボトル１では、応力Ｓのときの変位量が変位量Ｄ１になる。一方、比較例のボトル１００では、同じ応力Ｓのときに変位量が変位量Ｄ１よりも大きい変位量Ｄ２になる。これは比較例のボトル１００と比べて本発明のボトル１の方が変形し難いことを示している。その理由としては、本発明のボトル１では、下部パネル１５に段差がないので、荷重を掛けた際に発生する応力が分散されるためと考えられる。
【００２２】
以上に説明したように、本発明のボトル１は、段差すなわち屈曲部が生じないように下部パネル１５が設けられている。そのため、落下等によりボトル１に衝撃が加えられて下部パネル１５が外側に膨らんでも元の状態に戻り易い。したがって、下部パネル１５が膨らんだ状態に維持されることを抑制できる。これにより、外観上の見栄えが悪くなることを抑制できる。
【００２３】
下部パネル１５の底部３側の部分は、底部３に近くなるほど幅が狭くなっているので、落下等により底部３側からボトル１に力が加えられた場合に、その力を分散させることができる。そのため、ボトル１の変形を抑制することができる。
【００２４】
本発明のボトル１では、上部領域２ａに上部パネル１４を設けたので、この上部パネル１４でボトル１の容量を調整することができる。また、上部パネル１４は段差が生じるように設けられているので、ボトル１の強度を高くすることができる。
【００２５】
本発明は上述した各形態に限定されることなく種々の形態にて実施してよい。例えば、本発明が適用されるボトルは、ペットボトルに限定されない。ポリエチレンやポリプロピレン等の種々のプラスチック製のボトルに本発明を適用してよい。本発明のボトルに充填される液体も飲料に限定されず、プラスチックボトルに充填可能な種々の液体を充填してよい。本発明のボトルの胴部の形状は四角柱状に限定されず、五角柱などの多角柱状であってもよいし、円柱状であってもよい。
【００２６】
ボトルの側方から見たときの下部パネルの形状は、上述した形態で示した五角形状に限定されず、他の多角形状であってもよい。例えば、下部パネルの形状は四角形状であってもよいし、六角形状であってもよい。
【符号の説明】
【００２７】
１  プラスチックボトル
２  胴部
２ａ  上部領域
２ｂ  下部領域
３  底部
１１ａ  下部パネルの周囲の部分
１４  上部パネル（上部パネル部）
１５  下部パネル（パネル部）
１５ａ  下部パネルの内側の部分
【図１】
2015105113.tif 000003
【図２】
2015105113.tif 000004
【図３】
2015105113.tif 000005
【図４】
2015105113.tif 000006
【図５】
2015105113.tif 000007
【図６】
2015105113.tif 000008
【図７】
2015105113.tif 000009
【図８】
2015105113.tif 000010